(57)【要約】      （修正有）【課題】安全で手軽に操作できるエアノズルのついた空気注入ポンプと、該エアノズルが挿脱自在のエア注入口を有する医療器とのセットを提供する。【解決手段】ポンプ本体から細管状エアノズル４を突出し、該エアノズルの先端を丸く形成すると共に、該先端近くのノズル側面にエア吐出口５を開口した空気注入ポンプと、  エア注入口を有し、該エア注入口内に、上記エアノズルの挿脱を許すが、常時は弾性的に閉止する弾性弁口を貫通してなる弾性弁１２を設けた。【選択図】図２
2005218461.tif 000002
【特許請求の範囲】
【請求項１】
ポンプ本体から細管状エアノズルを突出し、該エアノズルの先端を丸く形成すると共に、該先端近くのノズル側面にエア吐出口を開口した空気注入ポンプと、
エア注入口を有し、該エア注入口内に、上記エアノズルの挿脱を許すが、常時は弾性的に閉止する弾性弁口を貫通してなる弾性弁を設けた、空気注入を要する医療器と、
からなる空気注入ポンプとエア注入口を有する医療器とのセット。
【請求項２】
上記空気注入を要する医療器のエア注入口を外部に突出する円筒状体に形成すると共に、その外径を、空気注入をしてはならない他の医療器の注入口の外径よりも小さくし、
上記空気注入ポンプのエアノズルに、該エアノズルが上記空気注入を要する医療器のエア注入口へ挿入されるのを許すが、上記空気注入をしてはならない医療器の大径の注入口へ挿入されるのを阻止するストッパーを設けた、
請求項１に記載の空気注入ポンプとエア注入口を有する医療器とのセット。
【発明の詳細な説明】
【技術分野】
【０００１】
本願発明は、空気注入ポンプと、空気袋つき止血器等のエア注入口を有する医療器とのセットに関する。
【背景技術】
【０００２】
従来、例えば、血管止血器セットとして、シリンダ・ピストン型ポンプの先端に尖った針状のエアノズルを嵌着してなる空気注入ポンプと、バンドの内側面に、ゴム栓つきエア注入口を有する空気袋を取りつけてなる血管止血器とのセットが知られており、使用においては、上記止血器のバンドを上腕部に巻きつけ、ついでエア注入口のゴム栓に空気注入ポンプの針を刺し通して空気袋に空気を圧入して膨らませ、該膨らんだ空気袋により上腕血管を押えるのである。
【０００３】
しかし、上記の空気注入ポンプのエアノズルが尖った針であるため、例えば、血管への造影剤注入のため上腕動脈にシーズイントラデューサー（通称シーズ）を刺しこみ、該シーズを介しての造影剤注入後に該シーズを引き抜く際の血管止血に上記止血器を使用する場合等は、上記のような煩雑な作業の中で尖った針の嵌着操作、ゴム栓への針の刺しこみ操作等を行うには大いに危険があり、そのため、尖った針に替え、より安全で手軽に操作できるエアノズルのついた空気注入ポンプと該エアノズルが差しこまれるエア注入口を有する医療器とのセットの開発が要望されていた。
【０００４】
一方、上記シーズ引き抜き時の血管止血に上記止血器を使用する場合、上記空気注入ポンプの針を空気袋のゴム栓に刺しこむ際、誤って該針をシーズの薬液注入口に差しこんでしまい、その結果シーズを経て血管内に空気を注入するという重大なミスを犯し、遂には致命的な医療事故に至ることがあった。
【発明の開示】
【発明が解決しようとする課題】
【０００５】
本願第１発明は、安全で手軽に操作できるエアノズルのついた空気注入ポンプと、該エアノズルが挿脱自在のエア注入口を有する医療器とのセットを提供することを課題とし、
【０００６】
本願第２発明は、特定医療器のエア注入口にしか空気注入ポンプのエアノズルを差しこむことができないようにし、それにより医療事故を防止する空気注入ポンプとエア注入口を有する医療器とのセットを提供することを課題とする。
【課題を解決するための手段】
【０００７】
そこで、本願第１発明は、
ポンプ本体から細管状エアノズルを突出し、該エアノズルの先端を丸く形成すると共に、該先端近くのノズル側面にエア吐出口を開口した空気注入ポンプと、
エア注入口を有し、該エア注入口内に、上記エアノズルの挿脱を許すが、常時は弾性的に閉止する弾性弁口を貫通してなる弾性弁を設けた、空気注入を要する医療器と、
からなる空気注入ポンプとエア注入口を有する医療器とのセットを提案し、
【０００８】
本願第２発明は、
上記空気注入を要する医療器のエア注入口を外部に突出する円筒状体に形成すると共に、その外径を、空気注入をしてはならない他の医療器の注入口の外径よりも小さくし、
上記空気注入ポンプのエアノズルに、該エアノズルが上記空気注入を要する医療器のエア注入口へ挿入されるのを許すが、上記空気注入をしてはならない医療器の大径の注入口へ挿入されるのを阻止するストッパーを設けた、
請求項１に記載の空気注入ポンプとエア注入口を有する医療器とのセットを提案する。
【発明の効果】
【０００９】
本願第１発明のセットによれば、空気注入ポンプのエアノズルの先端を丸くしたから、他の煩雑な作業の中でも、空気注入作業を安全に行うことができるようになり、しかもエアノズルの弾性弁口への挿入は円滑になるから上記空気注入作業が手軽で確実に行えるのである。
【００１０】
本願第２発明のセットによれば、空気注入ポンプのエアノズルは、空気注入を要する医療器のエア注入口に差しこんで所要の空気注入を行うことができるが、該エアノズルを空気注入をしてはならない他の大径の注入口に誤って差しこもうとしたときは、ストッパーがその差しこみを阻止し、それにより医療事故を未然に防止することができるのである。
【発明を実施するための最良の形態】
【００１１】
本願発明における上記「弾性弁」は、ゴム、合成樹脂等の弾性材でつくられる。又、上記「弾性弁口」は、一直線の切込み、十字線の切込み、一点の通し微小孔、その他種々の弁口が使用される。さらに、上記「弾性弁」は、１つのエア注入口内に１つ又は複数個をエアノズルの挿入方向に沿って設けてよい。
【００１２】
また「空気注入ポンプ」には、シリンダー・ピストン型等の往復動ポンプや回転ポンプ等種々のポンプが含まれる。
【実施例】
【００１３】
（第１発明の実施例）
本例の空気注入ポンプ（１）は、図１（イ）に示すように、シリンダー（２）及びピストン（３）からなるもので、そのシリンダー（２）の先端から該シリンダー（２）内と連通する細管状のエアノズル（４）を突出し、該エアノズル（４）は先端を丸く形成すると共に、該先端寄りのノズル側面にエア吐出口（５）を開口してある。
【００１４】
他方の空気注入を要する医療器の一例として、本例の血管止血器（６）は、同図（ロ）に示すように、屈撓性のバンド（７）の中間部内側面に、弾性合成樹脂製シートからなる矩形の空気袋（８）を取りつけ、該空気袋（８）の一側部に、該空気袋（８）内部と開通して外部に一部突出する円筒状の弁つきエア注入口（９）を設けてある。
【００１５】
上記エア注入口（９）は、比較的硬質の円筒状注入筒（１０）の軸心位置に、上記ポンプ（１）のエアノズル（４）が挿脱自在の案内孔（１１）を縦通し、該案内孔（１１）の内側端寄りの位置に、柔軟弾性ゴムからなる円板状弾性弁（１２）を案内孔（１１）を閉止する状態に保持してあり、該弾性弁（１２）の軸心に、本例では一直線の切込みからなり、常時は弾性的に閉止している弾性弁口（１３）を形成してある。この場合、上記注入筒（１０）とポンプ（１）のエアノズル（４）との長さ関係は、上記エアノズル（４）を案内孔（１１）内に根元まで挿入したとき、エアノズル（４）の吐出口（５）が案内孔（１１）内側端から露出する関係におく。
【００１６】
（１４）、（１５）は上記バンド（７）の両端部に取りつけた接合用フックテープ及びループテープである。
【００１７】
使用においては、上記止血器（６）のバンド（７）を例えば上腕上部に巻きつけて空気袋（８）を上腕動脈上に当て、ついでポンプ（１）のエアノズル（４）をエア注入口（９）の案内孔（１１）内に挿しこむと、エアノズル（４）が弾性弁（１２）の弾性弁口（１３）を円滑に通って吐出口（５）を案内孔（１１）から外方へ突出させる。そこでポンプ（１）のピストン（３）を押して空気袋（８）内に空気を送り、膨らませる。エアノズル（４）をエア注入口（９）から引き抜くと、上記弾性弁口（１３）がその弾性復元力により自動的に閉弁して空気袋（８）を膨らんだ状態に保つ。この膨らんだ空気袋（８）により、上腕動脈を押えて所要の止血を行う。
【００１８】
（第２発明の実施例）
図３（イ）、（ロ）において、シリンダー・ピストン型空気注入ポンプ（１ａ）のシリンダー（２ａ）の先端において、エアノズル（４ａ）を中心とする相対する直径方向の位置から２枚の板状ストッパー（１６ａ）、（１６ａ）を、それら板面を放射方向に向けた状態で、上記エアノズル（４ａ）と小間隔をあけて前方へ平行に延出し、両ストッパー（１６ａ）、（１６ａ）の間隔（ｄ）（同図（ロ）参照）は、後述の止血器のエア注入口の外形に被嵌できる間隔としてあり、他の構造は図１、２と実質的に同一である。
【００１９】
図３（ハ）、（ニ）において、止血器（６ａ）における空気袋（８ａ）のエア注入口（９ａ）は、その円筒状注入筒（１０ａ）の空気袋（８ａ）から外部に突出する部分の外径を、他の空気注入をしてはならない医療器の注入口の外径より小さく形成し、それにより上記ポンプ（１ａ）との関係では、上記両ストッパー（１６ａ）、（１６ａ）の間隔（ｄ）内にエア注入口（９ａ）は嵌入できるが、他の空気注入をしてはならい医療器の注入口は嵌入できない関係にある。
【００２０】
本例では、さらに注入筒（１０ａ）の外周に、上記ストッパー（１６ａ）、（１６ａ）に対応する位置に母線方向の案内溝（１８ａ）（１８ａ）を有する円筒状外筒（１７ａ）を被着し、それにより上記ポンプ（１ａ）のエアノズル（４ａ）をエア注入口（９ａ）内に挿入したとき、ストッパー（１６ａ）、（１６ａ）が上記案内溝（１８ａ）、（１８ａ）内に係合してエアノズル（４ａ）の安定を保つようにしてある。他の構造は図１、２と実質的に同一である。
【００２１】
使用において、上記止血器（１ａ）を上例と同様に上腕上部に巻きつけた後、ポンプ（１ａ）のエアノズル（４ａ）をエア注入口（９ａ）の注入筒（１０ａ）に挿入すると、ストッパー（１６ａ）、（１６ａ）が案内溝（１８ａ）、（１８ａ）内を通って、上記注入筒（１０ａ）外周に摺動しつつ被嵌し、それにより図４に示すように、上記エアノズル（４ａ）が弾性弁口（１３ａ）を通ってエア注入可能位置まで深く挿入される。そこでポンプ（１ａ）の操作により空気袋（８ａ）に空気を送って膨らませる。
【００２２】
上記エアノズル（４ａ）の挿入の際、該エアノズル（４ａ）を、例えば血管に刺しこまれているシーズの薬液注入口に誤って差しこもうとしたときは、上記ストッパー（１６ａ）、（１６ａ）が該シーズの薬液注入口外周に被嵌不能であるため、エアノズル（４ａ）をシーズの薬液注入口へ挿入することができず、それにより薬液注入口からの空気注入を阻止することとなる。
【図面の簡単な説明】
【００２３】
【図１】（イ）本願第１発明のセットにおける空気注入ポンプの正面図である。（ロ）同上セットにおける血管止血器の一部省略斜面図である。（ハ）同上止血器のエア注入口部分の拡大正面図である。
【図２】図１（ロ）のＩＩ−ＩＩ線拡大断面図である。
【図３】（イ）本願第２発明のセットにおける空気注入ポンプの正面図である。（ロ）同上空気注入ポンプのエアノズルがわ拡大側面図である。（ハ）同上セットにおける血管止血器の一部省略正面図である。（ニ）同上止血器のエア注入口部分の拡大正面図である。
【図４】図３（ハ）のＩＶ−ＩＶ線拡大断面図である。
【符号の説明】
【００２４】
１、１ａ  空気注入ポンプ
２、２ａ  シリンダー
４、４ａ  エアノズル
５、５ａ  エア吐出口
６、６ａ  血管止血器
８、８ａ  空気袋
９、９ａ  エア注入口
１２、１２ａ  弾性弁
１３、１３ａ  弾性弁口
１６ａ  ストッパー
【図１】
2005218461.tif 000003
【図２】
2005218461.tif 000004
【図３】
2005218461.tif 000005
【図４】
2005218461.tif 000006